(57)【要約】  本発明は、医療コネクタ用キャップに関する。さらに詳細には、本発明は、コネクタ上に配置するための抗菌キャップに関するもので、抗菌キャップのさまざまな特徴がコネクタを消毒状態に維持している。
2017513638.tif 000002
【特許請求の範囲】
【請求項１】
コネクタを受容するのに十分な直径を有する開口部と、
前記コネクタを受容するのに十分なボリュームを画定する内面と、
前記内面に適用される一定量の抗菌材料と、を備え、前記一定量の抗菌材料が前記コネクタからの残留流体に溶解することで、約０．００５％ｗ／ｗから約２５％ｗ／ｗの濃度を有する抗菌溶液が前記ボリューム内に提供される抗菌キャップデバイス。
【請求項２】
前記残留流体は、血液、薬品、水および生理食塩水からなる群から選択されることを特徴とする請求項１に記載の抗菌キャップデバイス。
【請求項３】
前記内面に適用されるＵＶ硬化コーティングをさらに備え、前記抗菌材料は、前記ＵＶ硬化コーティング内に均一に分散されるとともに、前記ＵＶ硬化コーティングが前記残留流体と接触したときに前記ＵＶ硬化コーティングから溶出可能であることを特徴とする請求項１に記載の抗菌キャップデバイス。
【請求項４】
前記抗菌材料は、非結合乾燥コーティングとして前記内面に適用されることを特徴とする請求項１に記載の抗菌キャップデバイス。
【請求項５】
前記抗菌材料は、浸漬、噴霧またはブラシがけにより前記内面に適用されることを特徴とする請求項１に記載の抗菌キャップデバイス。
【請求項６】
前記抗菌材料は、クロルヘキシジンジアセテート、グルコン酸クロルヘキシジン、アレキシジン、スルファジアジン銀、酢酸銀、クエン酸銀塩水化物、セトリミド、塩化セチルピリジニウム、塩化ベンザルコニウム、オルトフタルアルデヒド、および銀元素から成る群から選択されることを特徴とする請求項１に記載の抗菌キャップデバイス。
【請求項７】
前記抗菌キャップは単回使用のものであることを特徴とする請求項１に記載の抗菌キャップデバイス。
【請求項８】
前記抗菌キャップは、
外装と、
前記外装に接続されるクリップであって、抗菌キャップの所要の位置を維持するべく、ＩＶポールとＩＶラインとの少なくとも１つを受容するための表面を有するクリップと、
をさらに備えることを特徴とする請求項１に記載の抗菌キャップデバイス。
【請求項９】
アパーチャ、内部形態および底部を有するコネクタを受容するのに十分な直径を有する開口部と、
前記コネクタを受容するのに十分なボリュームを画成する内面と、
抗菌キャップのベースに取り付けられる近位端およびそこから外方へ延在する遠位端を有する抗菌プラグであって、前記コネクタが前記抗菌キャップに挿入されるときに前記遠位端が前記コネクタの前記底部に近接して配置されるように、前記コネクタの前記アパーチャを通して挿入されるのに十分な長さおよび直径を有する抗菌プラグと、
を備える抗菌キャップデバイス。
【請求項１０】
さらに、前記抗菌キャップの前記ベースに穴を備え、前記抗菌プラグの前記遠位端は前記穴を通して挿入され、前記抗菌プラグの前記近位端は前記穴を密閉することを特徴とする請求項９に記載の抗菌キャップデバイス。
【請求項１１】
前記抗菌プラグの前記近位端は、前記内面に結合されることを特徴とする請求項９に記載の抗菌キャップデバイス。
【請求項１２】
前記抗菌プラグの前記遠位端は、前記コネクタと同じ形状を有する三次元形状を備えることを特徴とする請求項９に記載の抗菌キャップデバイス。
【請求項１３】
前記抗菌プラグの前記遠位端は、ディスクを備えることを特徴とする請求項９に記載の抗菌キャップデバイス。
【請求項１４】
前記抗菌プラグは、湾曲していることを特徴とする請求項９に記載の抗菌キャップデバイス。
【請求項１５】
前記抗菌プラグは、ロッドおよびチューブの少なくとも一方を備えることを特徴とする請求項９に記載の抗菌キャップデバイス。
【請求項１６】
前記抗菌プラグは、抗菌材料を含むことを特徴とする請求項９に記載の抗菌キャップデバイス。
【請求項１７】
前記抗菌プラグは、抗菌剤が均一に分散されたポリマーマトリックスを備えることを特徴とする請求項９に記載の抗菌キャップデバイス。
【請求項１８】
前記抗菌剤は、前記抗菌プラグが流体と接触すると、前記ポリマーマトリックスから溶出することを特徴とする請求項１７に記載の抗菌キャップデバイス。
【請求項１９】
前記抗菌プラグは、クロルヘキシジンジアセテート、グルコン酸クロルヘキシジン、アレキシジン、スルファジアジン銀、酢酸銀、クエン酸銀塩水化物、セトリミド、塩化セチルピリジニウム、塩化ベンザルコニウム、オルトフタルアルデヒド、および銀元素から成る群から選択される抗菌剤を含む抗菌コーティングでコーティングされることを特徴とする請求項９に記載の抗菌キャップデバイス。
【請求項２０】
前記抗菌プラグは、非線形形状を備えることを特徴とする請求項９に記載の抗菌キャップデバイス。
【発明の詳細な説明】
【技術分野】
【０００１】
注入治療は、一般に静脈内への医薬品の投与を含む。典型的な注入治療を行う場合、一つ以上の注入治療装置（例えば、チューブセット）が使用される。しばしば、注入治療の間に、チューブセットの端部は、注射器がチューブセットの雄ルアー端部から取り外されたときなどに、非殺菌表面が曝されたまま残される。例えば、チューブセットの端部が露出しているとき、患者または看護師がその端部に触れるかもしれないし、その端部が非殺菌の寝具、テーブル、または床面に接触するかもしれない。
【背景技術】
【０００２】
チューブセットのニードルレスコネクタ端部またはハブを殺菌する必要があるが、一般に雄ルアーである他端部を殺菌する必要はないのである。消毒キャップは、ニードルレスコネクタ、ＩＶセット、または短い拡張チューブのような注入治療装置の端部を消毒するのにますます使用されるようになってきている。このようなキャップは、一般に、キャップがポートに接続された際に、ポート表面に接続するアルコールに浸した発泡体を含む。これらのキャップを使用する際に、さまざまな問題が存在している。例えば、アルコールに浸した発泡体は、アクセスポートの外表面のみに接触する。また、一度キャップがポートに配置されると、そのキャップの中のアルコールはすばやく蒸発してしまう。さらに、アルコールを使用した結果、しばしば、ＩＶラインの中にアルコールを押し込んでしまう。
【０００３】
さらに、いくつかのタイプの雌ルアーコネクタは、従来の消毒キャップによっては効果的に処理することのできない液体を捕捉している。例えば、カテーテルアダプタの側面ポートは、特に緊急事態において迅速な効果を得るために、ＩＶ薬品すなわち流体のＩＶラインまたは患者の血流への迅速なアクセス手段として一般的に使用されている。そのポートは、カテーテルの全使用期間中に、複数回アクセスされ得る。時には７日を越える場合もある。シリンジなど汚染されたルアーアクセスデバイスがそのポートに接続されると、側面ポートの側壁および底部に微生物を移動させてしまい得る。これは、微生物の増殖とそのポートの側面内部のコロニ形成をもたらし、患者が感染症を起こす危険性がある。現在、入手可能な消毒キャップは、これらの表面を効果的に消毒することができない。
【０００４】
よって、ニードルレスコネクタを消毒するための方法とシステムが現在するが、依然として課題が存在する。したがって、現行技術を本明細書で論じるシステムおよび方法で増強または置き換えることは、当該技術分野における改善となり得る。
【先行技術文献】
【特許文献】
【０００５】
【特許文献１】米国特許出願公開第２０１２／３９７，７６０号明細書
【特許文献２】米国特許出願公開第２０１１／８２９，０１０号明細書
【特許文献３】米国特許出願公開第２０１２／４７６，９９７号明細書
【特許文献４】米国特許出願公開第２０１２／４９０，２３５号明細書
【特許文献５】米国特許出願公開第２０１２／８３１，８８０号明細書
【特許文献６】米国特許出願公開第２０１０／０１３７４７２号明細書
【特許文献７】米国特許出願公開第２０１０／０１３５９４９号明細書
【発明の概要】
【発明が解決しようとする課題】
【０００６】
本発明は、医療コネクタ用キャップに関する。より具体的には、本発明は、コネクタ上に配置するための抗菌キャップに関するものであり、抗菌キャップのさまざまな特徴がコネクタを消毒状態に維持している。
【０００７】
本発明のいくつかの実施形態は、乾燥した非結合（ｎｏｎ‐ｂｏｎｄｅｄ）抗菌材料が配された内面を有する抗菌キャップを提供する。残留流体に曝されると、乾燥した非結合抗菌材料が迅速に溶解し、それによって、キャップの閉鎖ボリューム内で抗菌性溶液を形成する。抗菌性溶液はキャップの内面とキャップの内部に挿入されるコネクタの外面とに接触する。
【０００８】
本発明の他の実施形態は、さまざまなクリップの特徴を抗菌キャップの外面に提供し、クリップの特徴によって、キャップをＩＶチューブの一部に取り付けたり、またはＩＶポールが地面のような望まない表面へのキャップの接触を防いだりすることが可能になる。さまざまな構造が、貯蔵および臨床医への抗菌キャップの分配を行うために、さらに提供される。
【０００９】
本発明のいくつかの実施形態は、抗菌プラグを有する抗菌キャップをさらに備えている。抗菌プラグは、キャップの内側のベース面から外方へと延在し、コネクタの内部ボリューム内へと延在する。コネクタはプラグが延在し得る内部空間を有している。抗菌プラグは、キャップおよび／またはコネクタの機能を損なうことなく表面積を最大にするために、さまざまな形状や外形を含むことができる。
【００１０】
ある場合には、取り外し／単回使用が可能な抗菌プラグを備える抗菌キャップが提供される。取り外し可能なプラグは、キャップの開口に対向するキャップの底部に設けられている穴を介してキャップに挿入される。プラグは、挿入され、使用された後、適切な抗菌効果を維持するために取り外すことができる。
【００１１】
本発明のいくつかの実施形態は、キャップの底部の内面に取り付けられた抗菌拡張（ｇｒｏｗｔｈ）材料を備えている。成長材料は、残留流体が接触したとき、材料から溶出するのである。成長材料は脱水されており、流体に曝されたときに膨張すなわち拡張する。
【００１２】
さらに、本発明のいくつかの実施形態は、抗菌潤滑剤が配置されている内面を有するキャップを備えている。抗菌潤滑剤は、キャップがその上に配置されたとき、コネクタの外内面に転移される。キャップを除去すると、抗菌潤滑剤は、キャップおよびコネクタ表面に残り、それによって、抗菌効果が付与される。
【００１３】
この概要は、以下の詳細な説明でさらに説明する概念の選択を簡略化した形態で紹介するために提供される。この要約は、特許請求の範囲の内容の重要な特徴または本質的な特徴を特定することを意図しておらず、また、特許請求の範囲の内容を判定する助けとして使用されることも意図していない。
【００１４】
本発明のさらなる特徴および利点は、以下の説明に記載され、その一部が説明から明らかになるか、または、本発明の実施により習得され得る。本発明の特徴および利点は、添付の特許請求の範囲で特に指摘された機器および組合せによって、実現および取得することができる。本発明のこれらの特徴と他の特徴は、以下の説明および添付の特許請求の範囲から、より完全に明白になるか、または以下に示す本発明の実施により、習得され得る。
【００１５】
本発明の上記および他の利点および特徴が得られる方法を説明するために、簡単に上述した本発明のより詳細な記述が、添付図面に示された具体的な実施形態を参照して提供される。これらの図面は、発明の代表的な実施形態のみを示すものであり、それゆえに、発明の範囲を制限するものとして考慮されるべきでないことを理解するべきであり、本発明は、添付の図面の使用を通じて、付加的な特異性や細部とともに記載され、説明される。
【図面の簡単な説明】
【００１６】
【図１】本発明の代表的な実施形態による抗菌キャップの断面図を示す。
【図２】本発明の代表的な実施形態による抗菌キャップの断面図とその中に挿入されたコネクタの斜視図を示す。
【図３Ａ】本発明の代表的な実施形態によるクリップ特徴の斜視図を示す。
【図３Ｂ】本発明の代表的な実施形態によるクリップ特徴の斜視図を示す。
【図３Ｃ】本発明の代表的な実施形態によるクリップ特徴の斜視図を示す。
【図４Ａ】本発明の代表的な実施形態による保管・分配方法および装置の斜視図を示す。
【図４Ｂ】本発明の代表的な実施形態による保管・分配方法および装置の斜視図を示す。
【図４Ｃ】本発明の代表的な実施形態による保管・分配方法および装置の斜視図を示す。
【図５Ａ】本発明の代表的な実施形態による抗菌プラグを有する抗菌キャップの断面図を示す。
【図５Ｂ】本発明の代表的な実施形態による抗菌プラグを有する抗菌キャップの断面図を示す。
【図６Ａ】本発明の代表的な実施形態による湾曲した抗菌プラグの断面図を示す。
【図６Ｂ】本発明の代表的な実施形態による湾曲した抗菌プラグの断面図を示す。
【図７Ａ】本発明の代表的な実施形態による終端ディスクを有する抗菌プラグの断面図を示す。
【図７Ｂ】本発明の代表的な実施形態による終端ディスクを有する抗菌プラグの断面図を示す。
【図８】本発明の代表的な実施形態による、側面ポートの内部形状と同じ三次元終端形状を有する抗菌プラグの断面図を示す。
【図９Ａ】本発明の代表的な実施形態による取り外し可能な抗菌プラグの断面図を示す。
【図９Ｂ】本発明の代表的な実施形態による取り外し可能な抗菌プラグの断面図を示す。
【図９Ｃ】本発明の代表的な実施形態による取り外し可能な抗菌プラグの断面図を示す。
【図９Ｄ】本発明の代表的な実施形態による取り外し可能な抗菌プラグの断面図を示す。
【図１０Ａ】本発明の代表的な実施形態による抗菌拡張材料の断面図を示す。
【図１０Ｂ】本発明の代表的な実施形態による抗菌拡張材料の断面図を示す。
【図１１Ａ】本発明の代表的な実施形態による、キャップの内面に適用された抗菌潤滑剤を有するキャップの断面図を示す。
【図１１Ｂ】本発明の代表的な実施形態による、キャップの内面に適用された抗菌潤滑剤を有するキャップの断面図を示す。
【図１１Ｃ】本発明の代表的な実施形態による、キャップの内面に適用された抗菌潤滑剤を有するキャップの断面図を示す。
【発明を実施するための形態】
【００１７】
本発明は、医療コネクタ用キャップに関する。さらに詳細には、本発明はコネクタ上に配置するための抗菌キャップに関するものであり、抗菌キャップのさまざまな特徴がコネクタを消毒状態に維持している。
【００１８】
本明細書で使用されている場合、用語“コネクタ”は、二次静脈注入デバイスと連結することを可能にする注入装置の一部である任意の構成を含むと理解される。本発明によるコネクタの非限定的な例は、ニードルレスコネクタ、雄ルアーコネクタ、雌ルアーコネクタ、側面ポート弁、ｙポート弁、ポート弁、および他の類似構造が含まれる。
【００１９】
ここで、図１を参照すると、抗菌キャップ１０が示されている。抗菌キャップ１０は、概して、流体および化学物質と共に輸液処置に共通して使用して安全なポリマー材を含む。例えば、ある場合には、キャップ１０は、ポリ塩化ビニル材を含む。キャップ１０は、コネクタ３０を受け入れるために十分な直径を有する開口部１２を備える。ある場合には、コネクタ３０が、キャップ１０の開口部１２を通過し挿入し得る凸の（ｐｏｓｉｔｉｖｅ）表面を備えている。例えば、ある場合には、コネクタ３０は、雄ルアーコネクタを備えている。他の場合には、コネクタ３０は、シリンジ先端を備えている。さらに、ある場合には、コネクタ３０は、カテーテル補助器具の側面ポートすなわちｙ‐ポートを備えている。他の場合には、コネクタ３０は、カテーテルアダプタ、ＩＶチューブの一部、またはカテーテルを備えている。
【００２０】
いくつかの実施形態では、キャップ１０は、ねじ接続部を介してコネクタ３０を受け入れる。例えば、ある場合には、キャップ１０は、１組の雌ねじ山または雄ねじ山を備えており、それらはコネクタ上に配置された相補的な１組のねじ山と螺合する。他の場合には、キャップ１０は、摩擦または締まりばめを介してコネクタ３０を受け入れる。
【００２１】
抗菌キャップ１０は、さらに、コネクタ３０を受け入れるための十分なボリュームを画成している内面１４を備えている。内面１４は、一般に管状であるが、ある場合には、内面１４が開口部１２からキャップベース１６まで内部に向かって徐々に細くなる。内面１４は、所望されるのであれば任意の幾何学形状または形状でも含むことができる。
【００２２】
キャップ１０のボリュームには、開口部１２からベース１６に延在するキャップ１０の内部空間を構成している。そのボリュームは、概して、キャップ１０を消毒状態に維持する目的のために、キャップ１０内へのコネクタ３０の配置を許容するべく選択されている。したがって、抗菌キャップ１０は、内面１４に適用されるある量の抗菌材料２０をさらに備えている。抗菌材料２０は、本発明の教示に従って使用するのに安全な任意の型または形状の抗菌材料を含むことができる。例えば、ある場合には、抗菌材料２０は、クロルヘキシジンジアセテート、グルコン酸クロルヘキシジン、アレキシジン、スルファジアジン銀、酢酸銀、クエン酸銀塩水化物、セトリミド、塩化セチルピリジニウム、塩化ベンザルコニウム、オルトフタルアルデヒド、および銀元素からなる群から選択される。
【００２３】
いくつかの実施形態では、抗菌材料２０は、公知の方法で内面１４に適用される乾燥した非結合のコーティングを含む。例えば、いくつかの実施形態では、抗菌材料２０は、噴霧、浸漬またはブラシがけによって、内面１４に適用される。他の実施形態では、抗菌材料２０は、抗菌物質が均等に分散されたＵＶ硬化ポリマーマトリックスを含む。抗菌物質は、ポリマーマトリックスと化学結合しておらず、したがって、マトリックスが残留流体に曝されるか、または湿らされると、マトリックスから溶出させることが可能である。
【００２４】
キャップ１０が、コネクタ３０上に配置されると、コネクタ３０は、キャップ１０のボリュームを減少させる。
【００２５】
互いに固定されると、コネクタ３０および抗菌キャップ１０は、相互接続された装置間に、閉じたボリュームを形成する。コネクタ３０からの残留液体３２に曝されると、乾燥した非結合の抗菌材料２０は、残留流体３２より迅速に溶解し、それによって、図２に示すように、閉ざされたボリューム内の残留流体３２によって抗菌性溶液を形成する。抗菌性溶液は、閉ざされたボリューム内に収容され、閉ざされたボリューム内に配置されたニードルレスアダプタおよび内面１４のすべての表面に曝される。
【００２６】
上述したように、いくつかの実施形態では、抗菌材料２０は、抗菌材料が均一に分散された複数の微細な隙間を含むマトリックスを形成するＵＶ硬化親水ポリマー材料を含む（不図示）。残留流体３２に曝されると、ポリマーマトリックスは軟化し、残留流体が浸透する。ポリマーマトリックス内の抗菌材料は、マトリックスから残留流体中に溶出し、閉ざされたボリューム内に所望の最終濃度を有する抗菌性溶液を形成する。適切なポリマー原料の例は、米国特許出願第１２／３９７，７６０号明細書、同第１１／８２９，０１０号、同第１２／４７６，９９７号明細書、同第１２／４９０，２３５号明細書および同第１２／８３１，８８０号明細書に記載されており、それぞれは、それら全体としてここに取り入れられる。
【００２７】
概して、ある量の抗菌材料２０は、閉じたボリューム内で残留流体３２に溶解されることで、閉じたボリューム内で十分な抗菌効果を有するのに必要な最小濃度を有する抗菌性溶液を提供する。ある場合には、およそ０．００５％ｗ／ｗからおよそ２５％ｗ／ｗまでの最終濃度を提供するために、所定量の抗菌材料２０が内面１４に適用される。よって、抗菌材料２０の量は、抗菌キャップ１０およびコネクタ３０の計算された閉じたボリュームに基づいて決定される。
【００２８】
例えば、抗菌キャップ１０の容積が１ｃｍ3であり、キャップ１０に挿入されるコネクタ３０の一部の容積が０．７５ｃｍ3である場合、計算された抗菌キャップ１０の閉じたボリュームは、０．２５ｃｍ3である。したがって、閉じたボリューム内の残留流体３２の可能な最大容積は０．２５ｃｍ3である。それに応じて、およそ０．００５％  ｗ／ｗからおよそ２５％  ｗ／ｗ（閉じたボリューム内で）の抗菌溶液中の抗菌材料の最終的な所望濃度を達成するためには、およそ１２．６μｇからおよそ８３．３ｍｇの抗菌材料２０を内面１４に適用することが必要となる。
【００２９】
残留流体３２は、注入療法手順に共通するいかなる流体または複数流体の組み合わせを含むことが可能である。例えば、いくつかの実施形態では、残留流体３２は、血液、薬剤、水、生理食塩水、尿、またはそれらの組み合わせを含む。ある場合では、コネクタ３０がキャップ１０に挿入された後、残留流体３２が抗菌キャップ１０に漏出する。他の場合では、残留流体３２が、キャップ１０に挿入される前にコネクタ３０上に存在している。さらに、ある場合では、残留流体３２は、コネクタ３０が抗菌キャップ１０の中に挿入される前に、その中に存在している。
【００３０】
抗菌キャップ１０の使用後、キャップ１０は、コネクタ３０から取り外され、処分される。ある場合では、抗菌キャップ１０は、処分される前に複数回再利用される。例えば、ある場合では、キャップ１０は、コネクタ３０が別体のコネクタ（不図示）から取り外された後、コネクタ３０に適用される。コネクタ３０を別体のコネクタと再接続する前に、抗菌キャップ１０をコネクタ３０から再度取り外し、別体のコネクタからコネクタ３０の取り外した後、再適用される。
【００３１】
ある場合では、抗菌キャップ１０の外面１８は、図３Ａ〜図３Ｃに示すように、抗菌キャップ１０の所要の位置を維持するために、ＩＶポールとＩＶラインとの少なくとも１つを受け入れるための表面４２を有するクリップ４０をさらに備えている。ある場合では、図３Ｂに示すように、クリップ４０は、ＩＶチューブ５０の一部の外径を受け入れるのに十分な直径を有するアパーチャ４４を形成する一対の対向するアームを備えている。他の場合では、クリップ４０は、図３Ｃに示すように、ＩＶポール５２を互換的に受け入れるためのフック面を有する単一のフック６０を備える。したがって、いくつかの実施形態では、抗菌キャップ１０はコネクタ３０と連結され、続いてクリップ４０を介してＩＶポール５２またはＩＶチューブ５０の一部に結合されることで、床または他の望ましくない面との望ましくない接触が防止される。
【００３２】
図４を参照すると、本発明は、抗菌キャップ１０を保管および分配するためのさまざまな装置をさらに備える。例えば、いくつかの実施形態では、図４に示すように、単回使用ストリップ７０が提供され、これは、複数のキャップ１０のベース１６表面が弱い接着剤で一時的に接着される細長い表面７２を有している。抗菌材料２０が乾燥状態で提供されるので、開口部１２は、箔またはポリマーカバーを必要とせずに、表面７２から外側に配向させることができる。ストリップ７０は、さらにＩＶポールのフック部分を受け入れるように設計された穴７４を備え、それによって、臨床医のために便利な位置にストリップ７０を吊り下げる。
【００３３】
他の場合では、図４Ｂに示されるように、抗菌キャップ１０の外面１８は開口部１２からベース１６まで内向きに先細となっており、ベース１６の直径は開口部１２の直径よりも小さい。このように、ベース１６は、締まりばめにより、隣接するキャップ１０の開口部１２に嵌め込まれ、積み重ねられた構成を形成することができる。再度述べるが、乾燥状態の抗菌材料２０は、開口部１２のための箔またはポリマーカバーを必要とせず、それゆえ、保管および分配の目的で積み重ねられた構成を可能にする。
【００３４】
さらに、ある場合では、図４Ｃに示されるように、キャディ８０が備えられ、これは対向面８２を有し、対向面上には、複数のキャップ１０のベース面１６が弱い接着剤で一時的に接着されている。抗菌材料２０は乾燥状態で提供されているので、開口部１２は、開口部１２のためのカバーを必要とせずに表面８２から外側に配向され得る。キャディ８０はさらにＩＶポールのフック部５４を受け入れるように設計された穴８４を備えており、これにより臨床医にとって都合の良い位置に吊るすことが可能である。キャディ８０は、さらにＩＶチューブの一部を受け入れるためのアパーチャ４４および表面４２を有するクリップ４０を備えている。
【００３５】
ここで、概して図５〜図１１Ｃを参照すると、ある場合では、抗菌キャップ１００は、カテーテルアダプタ１２０に蝶番式に結合され、側面ポート１３０を備えるコネクタのための物理的な障壁を提供するように構成されている。カテーテルアダプタ蝶番式に一体化したものとして示されているが、これらの実施形態に関連して説明した抗菌キャップ１００の特徴は、任意のタイプまたはスタイルのコネクタを受容するために構成された任意のスタイルまたは形状の抗菌キャップに実装され得る。
【００３６】
特に図５Ａおよび図５Ｂを参照すると、ある場合では、抗菌キャップ１００は、側面ポート１３０を受容するために十分な直径を有する開口部１０２を備えている。キャップ１００は、側面ポート１３０を受容するために十分なボリュームを画成している内面１０４をさらに備えている。
【００３７】
側面ポート１３０は、開口部すなわちアパーチャ１３２、内部ボリューム１３４、および底部１３６を備えている。ある場合では、以下に説明するように、内部ボリューム１３４は、さらに特有の内部形状を備え得る。側面ポート１３０は、側面ポート１３０とカテーテルアダプタ１２０の内部ルーメンとの間に無効化可能なシール（ｄｅｆｅａｔａｂｌｅ  ｓｅａｌ）を形成するポートバルブ１３８をさらに備えている。流体を側面ポート１３０に注入すると、ポートバルブ１３８は一時的に無効化されてシールを破壊し、注入された流体はポートバルブ１３８をバイパスして、カテーテルアダプタ１２０の内部ルーメンに入ることが可能となる。注入に続いて、少ない分量の残留流体は、一般に内部ボリューム１３４に残され、微生物汚染の影響を受けやすい。この残留流体は、典型的には、側面ポート１３０の底部１３６に溜まって集まり、ポートバルブ１３８の外面に接触する。しかしながら、より多量の残留流体は、追加の内部ボリューム１３４の表面に接触し、内部ボリューム１３４に充填されるか、または実質的に充填できる。
【００３８】
抗菌キャップ１００は、抗菌プラグ１１０をさらに備えている。抗菌プラグ１１０は、概して、プラグ１１０が内部ボリューム１３４内で残留流体に接触すると、直ちに溶解または溶出する抗菌材料またはコーティングを備えている。ある場合では、上述したように、抗菌プラグ１１０は、抗菌材料を均一に分散させたＵＶ硬化親水性材料を備えている。他の実施形態では、プラグ１１０は、固体抗菌材料からなっている。他の場合では、プラグ１１０は、ポリマーコーティングを有するポリマーチューブを備えている。
【００３９】
抗菌プラグ１１０は、本発明の教示に適合する任意の形態または形状を備えている。例えば、ある場合では、プラグ１１０は管形状を備えている。他の場合では、プラグ１１０はロッドを備えている。さらに、ある場合では、図８Ｂ〜図９に関連して示され、説明されるように、抗菌プラグ１１０は、非線形の形状またはデザインを備えている。
【００４０】
抗菌プラグ１１０は、キャップ１００のベース１０６に取り付けられている近位端１１２を備え、そしてさらに、ベース１０６から外方へ延在する遠位端１１４を備えている。プラグ１１０は、図５Ｂに示すように、アパーチャ１３２を通過し挿入され、内部ボリューム１３４内に配置されるのに十分な直径と長さを備えており、キャップ１００が側面ポート１３０に結合されると、遠位端１１４が底部１３６に近接して配置されるようになっている。
【００４１】
プラグ１１０の長さと直径は、側面ポート１３０の上で蝶番式に閉じられるキャップ１００の機能を犠牲にせず、プラグ１１０の表面積を最大にするように選ばれている。いくつかの場合では、プラグ１１０は、約０．０７６インチの外径と約０．３３８インチの実質的な長さを備えている。
【００４２】
ある場合には、ヒンジ接続の機能性を維持しながら、抗菌プラグ１１０の表面積を増加させることが望ましいことがある。したがって、図６Ａおよび図６Ｂに示すように、いくつかの実施形態では、抗菌プラグ１１０は湾曲している。プラグ１１０の湾曲形態は、プラグ１１０の全長を増加させるが、キャップ１００を側面ポート１３０に蝶番式に閉じる際の遠位端１１４とアパーチャ１３２との間の接触を防止する。したがって、プラグ１１０の全表面積は、ヒンジキャップの正常な動作を妨げることなく、増加する。
【００４３】
他の場合では、図７Ａおよび図７Ｂに示すように、遠位端１１４は、底部１３６の直径よりもわずかに小さい、増加した直径を有するディスク１１６をさらに備えている。ディスク１１６は、ヒンジキャップの正常な動作を妨げることなく、プラグ１１０の全表面積を増加させる。ある場合では、ディスク１１６は、キャップ１００が側面ポート１３０に着座すると、底部１３６内に配置される。したがって、増加した表面積のディスク１１６は、残留流体を含む可能性が最も高い内部ボリューム１３４の位置内に配置される。ある場合では、ディスク１１６を底部１３６に前進させる工程は、底部１３６から残留流体を移動させ、それにより、底部１３６の空間の大部分が抗菌ディスク１１６により占められることになる。
【００４４】
いくつかの実施形態では、図８に示すように、内部ボリューム１３４は、さまざまな表面を有する特有の内部形状１４０を備えている。よって最大の抗菌効果は、遠位端１１４を内部形状１４０と同じ形状を有するように成形することによって、実現され得る。したがって、遠位端１１４が内部形状１４０に接触する最大表面を実現することで、内部ボリューム１３４に最大の抗菌効果を付与する。
【００４５】
本発明の実施形態は、図９Ａおよび図９Ｂに示すように、キャップのベース２１６の中に穴２２０を有しているキャップ２００をさらに備える。穴２２０は、取り外し可能および／または単回使用可能な抗菌プラグ２１０を受容するように構成された直径を備えている。プラグ２１０は、本明細書で前述した他の抗菌成分およびデバイスと同様の材料および特性を備えている。
【００４６】
図９Ｂに示すように、キャップ２００は、遠位端２１４を穴２２０内に挿入し、近位端２１２がベース２１６の凹部２１７内に完全に装着されるまで、さらに穴２２０を通って挿入することにより組み立てられる。ある場合では、抗菌プラグ２１０のシャフト部分は、穴２２０の直径よりもわずか大きい直径を備えており、それによって、２つの構成要素間の流体密の締まりばめが容易となる。次に、抗菌プラグ２１０は、最初のプラグ２１０の抗菌特性が消耗した時点で、キャップ２００から取り外し、新しいプラグと交換することが可能である。他の場合では、抗菌プラグ２１０は、抗菌効果を維持させるために制御された頻度で交換される。
【００４７】
いくつかの実施形態では、ユーザが選択して穴２２０へ挿入することが可能な複数の抗菌プラグが設けられる。例えば、ある場合では、複数のプラグが設けられており、各プラグは特有すなわち異なる抗菌剤を備える。図９Ｃおよび図９Ｄに示すように、抗菌プラグ２１０もまた、螺旋形状または波形状のようなさまざまな非線形の形状を備え得る。上述のように、これらの形状は、キャップ２００の正常な動作を妨げることなくプラグ２１０の全表面積を増加させるものである。
【００４８】
図１０Ａに示されるように、本発明の実施形態では、脱水抗菌材料３８０が備えられるベース表面３１６を含むキャップ３００をさらに備えている。脱水抗菌材料３８０は、側面ポート１３０の内部ボリュームに位置する残留流体に曝露されたとき、膨張し拡張する原料を備えている。例えば、ある場合では、脱水抗菌材料３８０は、開放セルの不織スポンジを備えている。他の場合では、脱水抗菌材料３８０は、ヒドロゲルを含む。
【００４９】
図１０Ｂに示すように、材料３８０は、抗菌剤３２０、または抗菌剤を含む抗菌コーティングをさらに備えており、材料３８０が残留流体３２に曝されたとき、抗菌剤が溶解または溶出することによって、膨張または膨張的拡張を遂げる。ある場合では、材料３８０は、残留流体３２の除去時にその原形態を取り戻す。他の場合では、材料３８０の寸法の変化は、残留流体３２の存在を指し示し、それによって、臨床医がキャップ３００を新しいキャップに取り替えるように注意喚起をする。
【００５０】
さらに、ある場合では、図１１Ａ〜図１１Ｃに示すように、キャップ４００の内面４０４は、抗菌潤滑剤４５０を備えている。抗菌潤滑剤４５０は、潤滑剤４５０に接触する微生物を殺す抗菌剤を有する粘性または半粘性の潤滑剤またはゲルを備えている。いくつかの場合では、抗菌潤滑剤４５０は、酢酸クロルヘキシジンまたはグルコン酸クロルヘキシジンとシリコンとの混合物を含む。
【００５１】
図１１Ｂに示すように、抗菌潤滑剤４５０の一部は、キャップ４００が側面ポート１３０上に配置されるにつれて、側面ポート１３０の外面または内面に転写される。側面ポート１３０からキャップ４００を取り外すと、図１１Ｃに示すように、残留抗菌潤滑剤４５０が側面ポート１３０の内外面とキャップ４００の内面にとどまる。
【００５２】
当業者は、本発明のさまざまな他の実施形態が同様に抗菌潤滑剤を塗布され、それによってさらに、デバイスに接触殺菌（ｃｏｎｔａｃｔ  ｋｉｌｌ）効果を付加することができることを理解するであろう。したがって、本発明のさまざまな実施形態の特徴は、多種多様な抗菌キャップおよび他のデバイスを提供するために、互換的に実施され得る。
【００５３】
本発明のさまざまな実施形態は、公知の方法および手順に従って製造することが可能である。ある場合には、抗菌成分は抗菌材料を含んでいる。他の場合には、抗菌成分は、ポリカーボネート、コポリエステル、ＡＢＳ、ＰＶＣおよびポリウレタンのような、抗菌材料または抗菌剤と良好な結合強度を有するベースポリマー剤に押し出され、または形作られる。ベースポリマー構造は、溶出特性を有し得る接着剤ベースの抗菌材料で塗布することができる。ある場合には、ベースポリマー構造のトポロジおよび寸法は、微生物学的効能、永久溶出プロファイル、および組立形状制限のために最適化される。
【００５４】
本発明のさまざまな抗菌成分は、そのまま抗菌材料に鋳込まれ（ｃａｓｔｅｄ）または成形され（ｍｏｌｄｅｄ）得る。ある場合では、抗菌成分は、プラスチックに鋳込まれ、そのあと抗菌剤を塗布される。ある場合では、抗菌成分は、デバイスの別の成分上に直接拡張される。例えば、ある場合には、抗菌プラグは、キャップの内面またはベース表面から直接拡張される。これは、最初にキャップのベース表面上に剥離スリーブを配置することによって行われる。抗菌剤は、スリーブによって形成されたルーメン内に堆積される。硬化が完了したのち、スリーブは剥がされ、それによってキャップのベース表面にプラグが現れる。
【００５５】
他の場合には、デバイスのさまざまなコンポーネントは、接着剤またはエポキシを介して共に接合される。例えば、ある場合には、抗菌プラグが最初に鋳込まれまたは成形され、それから、抗菌コーティングまたは抗菌剤でコーティングされる。コーティングされたプラグは、その後、エポシキによってキャップのベース表面に接着される。ディスク端のある抗菌プラグの場合には、ディスクおよびロッドすなわちチューブは、一体のピースとして鋳造されてもよく、または、別々に鋳込まれ、または成形された後に互いに結合されるものでもよい。
【００５６】
本開示の抗菌コンポーネントおよび抗菌コーティングは、ポリマーマトリックスに１つ以上の抗菌剤を備えている。ポリマーマトリックスは、接着溶剤であってもよく、良好な接着強度および高い溶出速度のためにアクリレート溶剤またはシアノアクリレート溶剤の接着剤が優先される。溶剤は結合を増進するために添加され得る。適切な抗菌剤構成の非線形例は、米国特許出願公開第２０１０／０１３７４７２号明細書、および米国特許出願公開第２０１０／０１３５９４９号明細書に記載されており、そのそれぞれは、参照により全体が本明細書に包含されるものとする。
【００５７】
本発明は、その精神または本質的な特徴から逸脱することなく、他の具体的な形態にて実施され得る。記載された実施形態は、すべての点において、説明のためのものとして考慮されるべきであって、限定のためのものではない。それゆえに、本発明の範囲は、先の説明によってではなく、むしろ添付の特許請求の範囲によって示されるものである。特許請求の範囲と同等の意味および範囲内に入るすべての変更は、それらの範囲内に包含される。
【図１】
2017513638.tif 000003
【図２】
2017513638.tif 000004
【図３Ａ】
2017513638.tif 000005
【図３Ｂ】
2017513638.tif 000006
【図３Ｃ】
2017513638.tif 000007
【図４Ａ】
2017513638.tif 000008
【図４Ｂ】
2017513638.tif 000009
【図４Ｃ】
2017513638.tif 000010
【図５Ａ】
2017513638.tif 000011
【図５Ｂ】
2017513638.tif 000012
【図６Ａ】
2017513638.tif 000013
【図６Ｂ】
2017513638.tif 000014
【図７Ａ】
2017513638.tif 000015
【図７Ｂ】
2017513638.tif 000016
【図８】
2017513638.tif 000017
【図９Ａ】
2017513638.tif 000018
【図９Ｂ】
2017513638.tif 000019
【図９Ｃ】
2017513638.tif 000020
【図９Ｄ】
2017513638.tif 000021
【図１０Ａ】
2017513638.tif 000022
【図１０Ｂ】
2017513638.tif 000023
【図１１Ａ】
2017513638.tif 000024
【図１１Ｂ】
2017513638.tif 000025
【図１１Ｃ】
2017513638.tif 000026
【国際調査報告】
2017513638.tif 000027
2017513638.tif 000028
2017513638.tif 000029
2017513638.tif 000030
2017513638.tif 000031